(57)【要約】      （修正有）【課題】腰痛の人でも腰痛なく長距離歩行できる歩行器を提供する。【解決手段】腰に巻かれたベルトが垂直方向に取り付けられたシャフトに固定されている。シャフトは車台(フレーム)に固着されている。人の体重はシャフトを介して車台で支持される。車台の前方向に取り付けられた方向自在前輪、車台5の後方に取り付けられた方向自在後輪により、腰から上の荷重を背骨、股関節、膝にかけないで腰付近を支持しながら歩行することができる。【選択図】図２
2014050459.tif 000002
【特許請求の範囲】
【請求項１】
腰付近を支持しながら歩行することを特徴とする歩行器。
【発明の詳細な説明】
【技術分野】
【０００１】
本発明は全国1300万人が悩んでいる腰痛(背中管狭窄症や椎間板ヘルニア)の痛み無く長距離を歩ける画期的歩行器に関し、更に詳しくは脚も鍛えられ、脚のポンプ作用で全身の血流がよくなり、健康になる上、介添え人も不要なので費用がかからず他人に迷惑をかけず、腰痛なく足のしびれも無く屋外でも長距離を歩け、両手を使わないので、両手を他の目的に使うことができる歩行器に関する。
【背景技術】
【０００２】
人類の歴史は、四足歩行から二足歩行に変わり、椎骨の縦に重力がかかり、椎骨4番、5番あたりの脊中管内の神経の圧迫や、筋肉痛、脳記憶痛、仙腸関節ずれなどによる腰痛や足のしびれ等により、十メートルくらいしか歩けなくなる間欠歩行症になるが、これに対する解決法は無かった。また、従来の歩行器(ウォーカー)では、病院内で使えても、道路や屋外では使用に適しなかった。
【発明の概要】
【発明が解決しようとする課題】
【０００３】
前述したように、腰痛の人は歩行が困難である。本発明はこのような課題に鑑みてなされたものであって、背中管狭窄症、筋肉痛、脳記憶痛、仙腸関節ずれ、などによる腰痛や足のしびれ等により歩行が困難な人が道路や屋外で長距離歩行ができるようにした歩行器を提供することを目的としている。
【課題を解決するための手段】
【０００４】
請求項1記載の発明は、腰付近を支持しながら歩行することを特徴としている。
【発明の効果】
【０００５】
本発明によれば、背中管狭窄症や椎間板ヘルニアなど従来完治不可能であり、全く歩けないか、歩けても短距離しか歩けない人が、痛み無く長距離歩行できるようになり、しかも従来の手、腕、脇を使う歩行器と異なり、手、腕、脇が自由に使え、しかも病院内や自宅内だけでなく、道路や屋外でも使用でき、また車椅子より車を少なくすることができ、コンパクトなので車に積んだり、輸送でき、従来の車椅子と異なり、介添えが不要であり、自分の足が歩けるので脚のポンプ作用により身体の血流がよくなり、本人が健康にもなり、活動の分野を広げることが可能となる画期的な発明である。
【図面の簡単な説明】
【０００６】
【図１】本発明の理論構築のための水槽実験と本発明の実施例1
【図２】本発明の第2の実施例を示す図
【図３】本発明の第3の実施例を示す図
【図４】本発明の第4の実施例を示す図
【図５】本発明の第5の実施例を示す図
【図６】本発明の第6の実施例を示す図
【図７】本発明の第7の実施例を示す図
【発明を実施するための形態】
【０００７】
本発明者は、背中管狭窄や椎間板ヘルニア等の腰痛に対し、局所浸潤、硬膜外、神経根、椎間関節へのブロック注射、ＰＴ筋肉注射、仙腸関節調整、整体法、腹筋臀筋マッサージ法、テーピング等あらゆる公知の治療を実験したが、全て有効ではなかった。
そこで、本発明は種々の新しい方法を長年にわたり実験した。その中で水中を歩行すると腰痛なくなり歩けるということを、本発明者が発見した。
本発明者が理論化したのが次の方程式である。
ＩＦ=ＩＯ−aＬ            Ｌ=bＶ
ここで、ＩＦは今感じている痛み、ＩＯは本来の痛みあるa，bは係数、Ｌは水の浮力で、Ｖは脛など痛源より上の身体の容積である。本発明者は治験者を、図1の如く水槽51での歩行させ、水52の深さＤを種々な深さに変化させ、歩行者53に脳神経痛みメータ54を付けて歩かせ、水深Ｄを変化させる実験を繰り返しテ゛ータを集めた。水深Ｄを1.6メートルから徐々に減らし、1メートルでも脳神経痛みメータは反応せず、病源の腰の位置付近以下の水面になると反応した。従来の歩行器を使用する際、手や腕で握り肩で支えているが、本発明者は、支点はもっと下の腰付近でよいことを発見した。これにより、両手、両腕、両脇が自由になる大発見となった。痛点以上の深さの水面の位置で、水の浮力で腰等を支持しながら歩行することの発明が本発明実施例1である。
そこで、本発明者は図2の実施例2に示すように、腰付近をベルト1で固定することにより、身体を支えながら痛み無く歩行できる歩行器を発明した。図2において、1は腰に巻かれたベルトで、下の車台5に支えられている。2はベルト1に垂直方向に取り付けられたシャフトで車台(フレーム)5に固着されている。3は車台5の前方向に取り付けられた方向自在前輪、4は車台5の後方に取り付けられた方向自在後輪である。歩行者はこのような歩行器を使用して腰や足の痛みなく必要な任意の方向に歩くことができる。人の体重はシャフト2を介して車台5と車3，4で支持される。従って、腰から上の荷重を背骨、股関節、膝にかけないで歩ける。
【０００８】
図3は本発明の第3の実施例で、縦筒状穴13を有するパッチ12を腰ベルト10の左右に縫い付け縦支持棒8’，9’を挿入固定し、ベルト10の端にはベルクロ正10aとベルクロ負10bが取り付けられており、これを腹に巻きつけ人体53に固着して歩行する。この部分8’，9’はシャフト8，9より幅を狭くしてあり、このシャフト8’，9’には縦支持棒8，9が伸縮自在に取り付けられていて、図のＰ点とＱ点は縦方向の高さが調整できるようになっている。この縦支持棒8，9はそれぞれフレーム14に固着されている。8‘，9’の8軸周りの振りにより8’，9’の縦棒の間隔が交わり、種々の胴体サイズに適合できる。
このフレーム14には方向自在の前輪16，17と方向自在の後輪15が取り付けられている。ここで、具体的実施例の寸法として、腰幅Ｗは約330ミリ、ベルト10の縫い代の長さＢは約150ミリ、歩行者の足から腰までの高さＤは約1035ミリである。フレーム枠は図に示すようにＵ字型となっており、このフレーム枠の幅Ｒが500ミリ、長さ方向Ｓが700ミリ程度である。歩行者は腰にベルト10を巻きつけて、太い矢印の方向に歩行する。歩行者の体重は腰にかからず、シャフト8’，9’と縦支持棒8，9を介してフレーム14，車15，16で支えられる。歩行者は腰が痛くなることなく、自由に長距離歩行することができる。
【０００９】
図4は本発明の第4の実施例で、腰付近を支持する椅子に方向自在機構を付けたものである。一般の車椅子とは異なるポイントは矢印の様に下肢が前後に自由に動ける座面などの形状と構造で、且つ高さが上下する座椅子を足24で蹴ることができる高さに調節し、足で蹴りながら、方向自在輪20，21(図示せず)と22とで自分の思う方向に行ける。前方向は20と21の方向自在輪が取り付けられ、後方向に方向自在輪22が取り付けられている。車椅子より小さい車にできる効果がある。+
28は方向自在輪20〜22が取り付けられたフレームで、該フレーム28には伸縮縦支持棒23，23’も取り付けられている。23，23’は椅子の座面25を支えるシャフトである。26は背当て、27はフレーム、25は座面である。座面25はアングル調整関節24で角度調整ができるようになっている。脚はその動きが周りの構造に引っかからないように、且つ足けり(図の矢印方向)ができるような空間を有する構造になっている。座面は水平又は少し前に傾けると蹴りやすい。座席の前後幅はやや狭く設計する。そして、下肢を前後して前進又は後退を自分でできる構造なので、ポンプ作用がある脚で強くけることにより、身体の血流がよくなり健康となる上、本発明装置は介添え人も不要となる。
【００１０】
図5は本発明の第5の実施例であり、丸い座30に直角に伸縮軸31，32を固着してある。伸縮軸31はシャフト32に挿入されている。そして、その人の脚の長さに合わせ、軸を矢印方向に伸縮して軸長を合わせ固定具29で固定する。後輪36は軸32の先端に設ける。前輪34は肢33の先に設け、方向は自在とする。一肢33一輪34とせず前輪34，35(図示せず)34，35(図示せず)の二輪としてもよい。一肢33一輪34とせずとしてもよい。丸い座30を伸縮軸31に固着し、これにより座30を傾ける調整関節が不要になり、構造が簡単、コストダウンとなる。歩行者は、座30にお尻を乗せて、所定の方向に歩行することができる。この場合において、体重は軸31と32，33にかかるので、脚や腰痛部分に荷重がかからなくなる。従って、腰痛が起こることなく長距離歩行することができる。なお、Ａ点は座30と伸縮軸31との溶接部分、Ｂ点はシャフト32と支持棒33との溶接部分であるが、Ｂ点に関節を設けて肢33，前輪34を矢印方向に折り畳むようにするとコンパクトになり、携帯、輸送、格納に便利となる。
【００１１】
図6は本発明の第6の実施例であり、既製の自転車サドル40を使うことにより、腰の座りがよく、座りながら脚を前後に動かす自由度が大きいので歩行しやすく、量産品なので安価となる。46，48は前脚、43は後脚(主軸)である。また前脚は1本とし、一輪でもよい。44は主軸43の先端部に設けられた後方向自在輪、47，49はそれぞれ前脚46，48の先端部に設けられた前方向自在輪である。長さ固定ネジ42でシャフト41を固定し、長さを調整する。本実施例は、幅狭く軽量で安価であり、細い道でも通り使用でき、前脚46と48とを折り畳み関節45で矢印の方向に折り畳めるようにすれば、コンパクトになり、携帯格納に便利である。
主軸43は傾斜又はほぼ垂直でもよく、サドル下の角度調整関節50で座りながら歩きやすいような最適なサドル角度にする。腰がサドル上に乗り、脚でサドルの両サイドを挟むので図2の原理と同じように腰が固定されながら歩行できる。
【００１２】
図7は本発明の第7の実施例を示す図である。図6と同一のものは、同一の符号を付して示す。図6と図7を比較してみると分かるように、図7の実施例は、脚が43と46の2つしかない。そこで、歩行器が倒れないようにするため、(Ｂ)に示すように、それぞれの脚につく方向自在輪を2個ずつ設けて、歩行器が倒れないようにしたものである。図では、脚43に方向自在輪55aと55bが、脚44に方向自在輪56aと56bが取り付けられている。
前記の他、本発明では種々の変形が考えられるが、これらは全て本発明に含まれるものである。
【産業上の利用可能性】
【００１３】
本発明はあらゆる種類の腰痛持ち、股関節痛、膝関節痛等の人に等しく適用することができる。
【符号の説明】
【００１４】
1  腰巻ベルト
2  支持シャフト
3  方向自在前輪
4  方向自在後輪
5  車台(フレーム)
8  ，8’縦右支持棒
9  ，9’縦左支持棒
10  腰巻ベルト
10a  腰巻ベルクロ正
10b  腰巻ベルクロ負
12  縦支持棒を挿入する袋を腰巻ベルトに縫いつけ部
13  縦支持棒挿入袋
14  支持フレーム
15  方向自在後前輪
16  方向自在前輪
17  方向自在前輪
20  方向自在前輪
21  方向自在前輪
22  方向自在後輪
23’  縦支持シャフト
24  座角度調節固定具
25  座面
26  背当て
27  背当て支持フレーム
30  丸座
31  座に溶接した上部伸縮軸
32  下部伸縮シャフト
33  前脚
34  自在前輪
35  自在前輪
36  自在後輪
40  自転車サドル
41  伸縮上部シャフト
43  伸縮主軸
44  主軸下端につけた方向自在後輪
45  脚折り畳み関節
46  折り畳み前脚
47  方向自在前輪
48  折り畳み前脚
49  前脚下端につけた方向自在前輪
50  サドル角度調整関節と固定具
51  本発明実験水槽
52  水槽実験の水
53  本発明実験被験者／患者
54  脳神経痛み計
55a  方向自在輪
55b  方向自在輪
56a  方向自在輪
56b  方向自在輪
【図１】
2014050459.tif 000003
【図２】
2014050459.tif 000004
【図３】
2014050459.tif 000005
【図４】
2014050459.tif 000006
【図５】
2014050459.tif 000007
【図６】
2014050459.tif 000008
【図７】
2014050459.tif 000009